(57)【要約】【課題】  カップ体を有するブラジャーにおいて、カップ体の脇部側内部に芯地を挿入、埋設してバストの寄せ効果を高めるようしたブラジャーに関する。【解決手段】カップ体を有するブラジャーにおいて、カップ体の脇部からカップ中央付近に架けてカップ体内部に芯地を挿入、埋設してカップ部のずり上がりや横方向への引っ張りに対して十分に対応可能とし、バストの寄せ効果アップを図ると共に、着用感を向上するようにしたものである。【選択図】図２
2007303010.tif 000002
【特許請求の範囲】
【請求項１】
少なくともカップ体およびこれを固定する土台部とを有するブラジャーにおいて、カップ体がカップ中央近傍から脇部にわたる部位に非伸縮性芯地を挟設し熱圧着させ一体化して構成されたモールドカップであることを特徴とするブラジャー。
【請求項２】
カップ体の厚みが中心部から周縁部向かって小となるよう、中心部から周縁部に向かって圧縮率が大となるよう構成されたことを特徴とする請求項１に記載のブラジャー。
【請求項３】
カップ体周縁部に内包された非伸縮性芯地がカップ体と共に土台部に縫着されるよう、非伸縮性芯地がカップ体周縁部の縫い代部まで延在していることを特徴とする請求項１および請求項２に記載のブラジャー。
【請求項４】
カップ体がポリウレタンフォームで形成されたことを特徴とする請求項１から請求項３に記載のブラジャー。
【請求項５】
芯地をナイロンなどの合成繊維による編織物で形成したことを特徴とする請求項１から請求項４に記載のブラジャー。
【発明の詳細な説明】
【技術分野】
【０００１】
本発明は、カップ体を有するブラジャーにおいて、カップ体の脇部側内部に芯地を挿入、固定してカップ部のずり上がりや横方向への拡張を防止してバストの寄せ効果を高めるようしたブラジャーに関する。
【背景技術】
【０００２】
従来、カップ部を形成するパッド内に例えば金属製の弾性線材を扇形状に配置し、埋設したものがみられるが、この場合は、バストの動きに対して同弾性線材が十分に追従できないために、腕の屈伸運動と共にカップ部がずり上がったり、或いは横方向に拡張したりしてバストの寄せ効果が低下し、ブラジャーの機能性や着用感が悪くなる欠点があった。
【０００３】
【特許文献１】特開平１１−１３１３０７号公報
【発明の開示】
【発明が解決しようとする課題】
【０００４】
解決しようとする問題点は、前記の如く、パッド内に扇形状に配置して設けた金属製の弾性線材では、重量があり、且つ嵩張るためにカップ自体が分厚くなって、着用感が低下し、またバストの動きに対して弾性線材では十分に追従できない欠点があり、更にカップ部のずり上がりや横方向への拡張に対しても十分に対応できないためにバストの寄せ効果アップに期待できない等、十分に改善されていない点にある。
【課題を解決するための手段】
【０００５】
本発明は、カップ体を有するブラジャーにおいて、カップ体の脇部からカップ中央付近に架けてカップ体を切開し、同切開部内に芯地を挿入、固定してカップ部のずり上がりや横方向への拡張に対しても十分に対応可能とし、且つバストの寄せ効果アップを図り、着用感を向上するように構成したことを特徴とするものである。
【発明の効果】
【０００６】
本発明は、カップ体の脇部からカップ中央付近に架けてカップ体内に芯地を埋設し、腕の上下運動などによるカップ部のずり上がりや横方向への拡張に対しても十分に対応可能とし、且つカップ部の形態安定化に伴い、バストの寄せ効果アップが図られ、しかもカップ体がバスト部に完全に密着して着用感が向上するなどの効果が得られるのである
【発明を実施するための最良の形態】
【０００７】
本発明は、カップ体の脇部からカップ中央付近に架けてカップ体を切開して芯地を埋設し、カップ部のずり上がりや横方向への拡張を防止すると共に、バストの寄せ効果アップを図るようにしたもので、以下図例に基づいて説明する。１はブラジャーで、２はカップ部、３はカップ用表生地、５はモールドカップによるカップ体で、同カップ体５は、表裏の被覆用薄生地８，９及びポリウレタンフォーム１０から形成されている。尚、同生地８、９間に同ポリウレタンフォーム１０を介在させ、周知の手段で一体的に熱圧着せしめ、モールドカップによるカップ体５を形成すると共に、同カップ体５内に後述の如き芯地３２を挿入、固定するようにしてある。
【０００８】
１２は土台部、１３はバック部、１５は肩紐、１７はカップ体５の下辺縁部に設けたワイヤー、１８はカップ部２の上辺縁部に設けた縫着部で、カップ用表生地３とカップ体５の上辺縁部を夫々一体的に縫着１８してある。２０は土台部１２及びバック部１３の下辺部裏面側に一体的に縫着２２して設けた細幅テープ生地、２３は細幅筒状生地で同生地２３内にワイヤー１７を挿入するようにしてある。また図２において、後述の如く、カップ体５に設けた切開部３０内に芯地３２を挿入し、モールドカップ形成時に同芯地３２をカップ体５内に埋設、固定するようにしてある。２７はカップ部２の下方周縁部に設けた縫着部で、カップ用表生地３の下辺縁部、土台部１２の上方端縁部、芯地３２が挿入、固着されたカップ体５の下辺縁部並びにワイヤー１７入り細幅筒状生地２３を夫々一体的に縫着２７するようにしたものである。
【０００９】
図２及び図３において、３０はカップ体５に設けた切開部、３２は同切開部３０内に埋設した非伸縮性の芯地である。尚、同切開部３０の切開手段として、一つの実施例を挙げると、カップ体５の脇部側端縁部３４の部位からカップ体５の中央部近傍に向かって適宜のカッターで切開し始め、同カップ体５の中央部近傍における上辺縁部Ｐと下辺縁部Ｑを結ぶ縦方向ライン（切開境界部ライン）３５の部位まで切開して、開放状の二股状切開部３０を形成するもので、３７、３７は夫々二股状に左右方向に切開された切開片である。
【００１０】
尚、図３において、３３は芯地３２の上辺部、脇部及び下方周辺部に夫々設けた縫代部で、同縫代部３３を有する芯地３２を更に図４の如く、カップ体５に設けた切開部３０の切開片３７、３７間に挿入し、この状態で同カップ体５を周知の凹、凸状押圧型を介して適宜の手段で加圧、熱接着し、図５の如く、芯地３２が埋設、固着されたモールドカップによるカップ体５が得られるのである。次いで図２、図５及び図７の如く切開片３７、３７内に挿入、固着され、且つ芯地３２を有するモールドカップの施されたカップ体５を、前記の如くカップ用表生地３、土台部１２及びワイヤー１７入り細幅筒状生地２３と共に、夫々一体的に縫着２７するのである。
【００１１】
尚、カップ体５の縫着２７の際、芯地３２の縫代部３３が同時に縫着２７されることにより、芯地３２が確実に固着されるので、ブラジャーの着用時に芯地３２の耐久性や耐洗濯性などが向上し、品質或いは機能性が顕著に向上するのである。また芯地３２をカップ体５に設けた切開部３０の切開片３７、３７間に挿入し、この状態で前記のようにモールドカップによる熱接着を行うことにより、芯地３２の熱接着がより強固に行われ、同熱接着に加えて前記縫着２７により、芯地３２がカップ体５内に確実に埋設、固着され、耐洗濯性や耐着用性などに優れたカップ体５が得られるのである。
【００１２】
また芯地３２を、例えば２枚の重合されたカップ体間に挟持してモールドカップによる熱接着を行った場合は、芯地３２の接着性が低下するために、熱接着の温度を高温にする必要があり、従ってカップ体や芯地の強伸度が低下し、品質の劣化を招くことになり、ブラジャーの着用性を損なう欠点があり、あまり好ましくないのである。また芯地３２の素材としては、例えばナイロンやポリエステル系繊維、アラミド系繊維等を用いて織成若しくは編成して得られた薄地の織物地或いは編物地等による非伸縮性生地を用いることが好ましいのである。また芯地３２が、薄地の生地で形成された場合は、カップ体５があまり嵩張らず、着用感が向上するので、芯地３２としては、できるだけ薄地の生地を用いることが好ましいのである。
【００１３】
また図２において、カップ体５における中心部４０の厚みが一番部厚く形成されており、カップ体５の上辺縁部４１及び下辺縁部４２に向かってカップ体５の厚みが小さく（薄く）なるように形成されている、即ち、カップ体５における中心部４０から上辺及び下辺縁部４１、４２に向かって圧縮率が大となるように形成されているのである。また同様に図６において、カップ体５の中心部４０の部位からブラジャー１の中心側脇部４５及びカップ体５の脇部縁４６に向かってカップ体５の厚みが小さく（薄く）なるように、即ち、カップ体５における中心部４０からカップ体５の両脇部縁４５、４６に向かって圧縮率が大となるように形成されている。
【００１４】
また同様に図７の如く、カップ体５の縦断面において、カップ体５の中心部４０の部位からカップ体の上辺縁部４７及び下辺縁部４８に向かってカップ体５の厚みが小さく（薄く）なるように、即ち、カップ体５における中心部４０の部位からカップ体５の上辺縁部４７及び下辺縁部４８に向かって圧縮率が大となるように形成されているのである。
【００１５】
図８は、カップ体の第２実施例を示したもので、５１は切開部で、カップ体５０の脇部５４の部位から切開境界部ライン５５の部位まで切開して、前記同様に同切開部５１内に芯地５２を挿入し、この状態でカップ体５０を周知の手段で加圧、熱接着することにより、芯地５２が埋設、固着されたモールドカップによるカップ体５０が得られるのである。更に前記同様にカップ用表生地３、土台部１２、芯地３２が挿入、固着されたカップ体５０の下辺縁部並びにワイヤー１７入り細幅筒状生地２３を夫々一体的に縫着２７するようにしたものである。
【００１６】
図９は、カップ体の第３実施例を示したもので、６１は切開部で、カップ体６０の脇部６４の部位から切開境界部ライン６５の部位まで切開して、前記同様に同切開部６１内に芯地６２を挿入し、この状態で前記同様にカップ体６０を周知の手段で加圧、熱接着することにより、芯地６２が埋設、固着されたモールドカップによるカップ体６０が得られるのである。更に前記同様にカップ用表生地３、土台部１２、芯地３２が挿入、固着されたカップ体６０の下辺縁部並びにワイヤー１７入り細幅筒状生地２３を夫々一体的に縫着２７するようにしたものである。
【００１７】
図１０は、カップ体の第４実施例を示したもので、７１は切開部で、カップ体７０の脇部７４の部位から切開境界部ライン７５の部位まで切開して、前記同様に同切開部７１内に芯地７２を挿入し、この状態で前記同様にカップ体７０を周知の手段で加圧、熱接着することにより、芯地７２が埋設、固着されたモールドカップによるカップ体７０が得られるのである。更に前記同様にカップ用表生地３、土台部１２、芯地７２が挿入、固着されたカップ体７０の下辺縁部並びにワイヤー１７入り細幅筒状生地２３を夫々一体的に縫着２７するようにしたものである。
【産業上の利用可能性】
【００１８】
カップ体に設けた切開部内に芯地を埋設する際に、芯地を左右２枚に、或いは上下２枚に分割して埋設し、カップ体が乳房の動きに即座に対応し、且つ外力に対して安定的なカップ体が得られるようにしてもよい。
【図面の簡単な説明】
【００１９】
【図１】本発明によるブラジャーの前身側概略斜視図である。
【図２】図１のＸ−Ｘ断面による概略断面図である。
【図３】本発明においてカップ体の脇部側切開部に芯地を挿入する状態を示した動作説明用概略斜視図である。
【図４】本発明においてカップ体の脇部側切開部に芯地を挿入した状態を示した概略斜視図である。
【図５】本発明においてカップ体の脇部側切開部内に挿入、固定した芯地を有するモールドカップによるカップ体の概略正面図である。
【図６】図４のＹ−Ｙ断面による概略断面図である。
【図７】図５のＺ−Ｚ断面による概略断面図である。
【図８】本発明におけるカップ体の第２実施例を示したもので、脇部側切開部内に挿入、固定した芯地を有するモールドカップによるカップ体の概略正面図である。
【図９】本発明におけるカップ体の第３実施例を示したもので、脇部側切開部内に挿入、固定した芯地を有するモールドカップによるカップ体の概略正面図である。埋設した状態を示す概略正面図である。
【図１０】本発明におけるカップ体の第４実施例を示したもので、脇部側切開部内に挿入、固定した芯地を有するモールドカップによるカップ体の概略正面図である。
【符号の説明】
【００２０】
２    カップ部  
３    カップ用表生地
５    カップ体
３０  切開部
３２  芯地
３５  切開境界部ライン
【図１】
2007303010.tif 000003
【図２】
2007303010.tif 000004
【図３】
2007303010.tif 000005
【図４】
2007303010.tif 000006
【図５】
2007303010.tif 000007
【図６】
2007303010.tif 000008
【図７】
2007303010.tif 000009
【図８】
2007303010.tif 000010
【図９】
2007303010.tif 000011
【図１０】
2007303010.tif 000012